(57)【要約】【課題】シャフトを支持する軸受から作動油がリークすることがなく、高い減衰力を得る。【解決手段】ロータリーダンパは、ハウジング５２内の油室を２つに区画するベーン７５の揺動時に２つの油室間を作動油が流通することで減衰力を発生させるものであって、ベーンの基部７５ａを固定状態に連結させながらハウジングに対してベーンを揺動可能に支持するシャフト５３を有する。シャフトをハウジングに回動可能に支持する軸受７１ａ、７２ａと油室とを液密に区画するためのシール用のワッシャ７７ａ、７７ｂを、ベーンの基部に設け、これにより油室内の作動油が軸受からリークするのを防止している。【選択図】        図１４
2004286128.tif 000002
【特許請求の範囲】
【請求項１】
ハウジング内の油室を２つに区画するベーンの揺動時に前記２つの油室間を作動油が流通することで減衰力を発生させるとともに、前記ベーンの基部を固定状態に連結させながら前記ハウジングに対して前記ベーンを揺動可能に支持するシャフトを有してなるロータリーダンパにおいて、
前記シャフトを前記ハウジングに回動可能に支持する軸受と前記油室とを液密に区画するシール部を前記ベーンの基部に設けたことを特徴とするロータリーダンパ。
【発明の詳細な説明】
【０００１】
【発明の属する技術分野】
本発明はロータリーダンパに関するものである。
【０００２】
【従来の技術】
従来のロータリーダンパとして、ハウジング内の油室を２つに区画するベーンの揺動時に前記２つの油室間を作動油が流通することで減衰力を発生させるとともに、前記ベーンの基部を固定状態に連結させながら前記ハウジングに対して前記ベーンを揺動可能に支持するシャフトを有してなるものが知られている（例えば、特許文献１参照。）。
【０００３】
【特許文献１】
特開２００１−９９２０８号公報（第３頁左欄、図２、図３）
【０００４】
【発明が解決しようとする課題】
上述した従来のロータリーダンパにあっては次に示す課題があった。
すなわち、従来のロータリーダンパは、ハウジング内の油室がベーンによって２つに区画されるが、ベーンを支持するシャフトとそれを支持するハウジングの軸受とは互いに摺動する関係上若干の隙間があり、この隙間がリーク部分となってハウジング内の２つの油室の作動油がバイパスしていまい、このため、減衰力が低下するという課題があった。
【０００５】
前記事情に鑑みてなされたもので、本発明の目的とするところは、シャフトを支持する軸受から作動油がリークすることがなく、高い減衰力が得られるロータリーダンパを提供しようとすることにある。
【０００６】
【課題を解決するための手段】
前記課題を解決するために、請求項１記載のロータリーダンパは、ハウジング（例えば、実施の形態におけるハウジング５２）内の油室（例えば、実施の形態における油室７４）を２つに区画するベーン（例えば、実施の形態におけるベーン７５）の揺動時に前記２つの油室間を作動油が流通することで減衰力を発生させるとともに、前記ベーンの基部（例えば、実施の形態におけるベーンの基部７５ａ）を固定状態に連結させながら前記ハウジングに対して前記ベーンを揺動可能に支持するシャフト（例えば、実施の形態におけるシャフト５３）を有してなるロータリーダンパにおいて、
前記シャフトを前記ハウジングに回動可能に支持する軸受（例えば、実施の形態の軸受７１ａ、７２ａ）と前記油室とを液密に区画するシール部（例えば、実施の形態におけるシール用のワッシャ７７ａ、７７ｂ、並びにそれらワッシャと当接するハウジング５２の内周面、シール部材７６）を前記ベーンの基部に設けている。
【０００７】
本発明に係るロータリーダンパでは、一方の油室の圧力が高まるとき、この一方の油室内の作動油が、摺動部分であるシャフトと軸受との隙間を通って他方の油室に流れ込もうとするが、ベーンの基部には軸受と油室を液密に区画するシール部が設けられているので、このような作動油の移動は妨げられる。このように軸受からの作動油のリークがないため、ダンパとして高い減衰力が確保される。
【０００８】
【発明の実施の形態】
本発明に係るロータリーダンパが組み込まれた自動二輪車を図面を参照しつつ以下に説明する。なお説明中、前後および左右といった方向の記載は、車体を基準にしたものとする。
【０００９】
図１に示すように、自動二輪車１は略中央に車体フレーム２が設けられ、車体フレーム２の前端に設けられたヘッドパイプ３には、前輪４を支持するフロントフォーク５がステアリングステム６を介して操舵可能に支持される。車体フレーム２のヘッドパイプ３からはメインフレーム７が左右に分かれて斜め後下方へ延び、その後屈曲部を経て下方へ延びるように設けられている。メインフレーム７の下方へ延びる箇所の略中央前端部はピボット部８が設けられ、このピボット部８によって、後輪９を支持するリアフォーク１０が揺動可能に支持される。またリアフォーク１０のピボット部８によって支持された箇所の若干後方部分は、リアクッション１１及びリンク部１２を介してメインフレーム７と連結されている。
【００１０】
メインフレーム７の後方にはシートフレーム１３が連結される。メインフレーム７の上方には燃料タンク１４が配設され、メインフレーム７の下方には、水冷式並列四気筒型エンジンのエンジン本体１５が配設される。メインフレーム７の前部からはエンジンハンガ１６が下方に向かって延出され、このエンジンハンガ１６は、メインフレーム７に設けられた他のエンジン本体支持用の取付部とともにエンジン本体１５を支持する。
【００１１】
燃料タンク１４の後方には運転者用のシート１７及び搭乗者用のピリオンシート１８が各々シートフレーム１３に支持される。また、車体フレーム２のピボット部８の後部には運転者用のステップ１９が取り付けられ、シートフレーム１３の下部には搭乗者用のステップ２０が取り付けられる。さらに、フロントフォーク５の上端部には左右一対のハンドル２１，２１がトップブリッジ４９を介して取り付けられる。
自動二輪車１の車体前部はフロントカウル２５により覆われ、シートフレーム１３周辺はリアカウル２６により覆われる。また、車体フレーム２の左側下部には格納可能なサイドスタンド２７が配設され、このサイドスタンド２７により自動二輪車１の車体が左側に傾斜した起立状態で支持される。
【００１２】
フロントフォーク５の下端部にはブレーキキャリパ２８が取り付けられ、前輪４にはブレーキキャリパ２８に対応するブレーキロータ２９が取り付けられてフロントブレーキ装置３０が構成される。また、フロントフォーク５の下端部には前輪４の上方を覆うフロントフェンダ３１が取り付けられる。
後輪９の左側にはリアスプロケット３２が後輪９と一体的に回転するように取り付けられ、このリアスプロケット３２とエンジン本体１５の後部左側に配設されるドライブスプロケット３３とにドライブチェーン３４が掛け回されて、エンジン本体１５の駆動力が後輪９に伝達されるようになっている。リアフォーク１０の上部には後輪９の上部前側を覆う前側リアフェンダ３５が取り付けられ、リアカウル２６の下部には後輪９の上部後側を覆うリアフェンダ３６が取り付けられる。なお、リアフレーム１０には、前輪４のフロントブレーキ装置３０と同様の構成を有するリアブレーキ装置が設けられる。
【００１３】
エンジン本体１５のシリンダ本体４０はクランクケース４１上にやや前傾した状態で配設される。シリンダ本体４０の後部には各気筒に対応するスロットルボディ４２が接続され、各スロットルボディ４２はメインフレーム７と燃料タンク１４との間に配置されたエアクリーナケース４３に接続される。また、シリンダ本体４０の前部には各気筒に対応する排気管４４が接続される。排気管４４は、シリンダ本体４０の前壁４５からその前方に延びた後に下方に向かって湾曲し、クランクケース４１の前方及び下方を通ってエンジン本体１５の後方に延びている。
【００１４】
前記ステアリングステム６、該ステアリングステム６のボトムブリッジの上方にボトムブリッジと平行に配置されるトップブリッジ４９、及びハンドル２１等は前輪４を操舵する操舵系５０を構成する。この操舵系５０と車体フレーム２との間には、ロータリーダンパ５１が介装される（図２，図３参照）。
ロータリーダンパ５１は、ここでは、外乱時のキックバック等によるハンドル２１の振れを低減するステアリングダンパとして用いられている。
【００１５】
図２に示すように、ロータリーダンパ５１は、ハウジング５２と、該ハウジング５２の下面部を貫通して外方に突出するシャフト５３を有する。ハウジング５２は、ヘッドパイプ３と一体に後方へ延びて設けられた取付部３ａに、第１、第２のブラケット５４、５５を介して取り付けられる。一方、シャフト５３はリンク機構５６を介してトップブリッジ４９に取り付けられる。
【００１６】
図４に示すように、第１のブラケット５４は、内部がえぐられた略箱形形状となっていて、左右の側壁部５４ａ、５４ａ、底板部５４ｂ、及びそれら側板部５４ａ及び底板部５４ｂの後端部に連結された略Ｙ字状の脚部５４ｃを有している。そして、左右の側壁部５４ａ、５４ａの上面部と脚部５４ｃの上面部には、それぞれ取付孔５４ｄ、５４ｄ、５４ｄが形成され、これら取付孔５４ｄ…を介して前記ロータリーダンパ５１がボルト止めされる。また、底板部５４ｂには被取付孔５４ｅ、５４ｅが、また、脚部５４ｃには被取付孔５４ｆ、５４ｆがそれぞれ形成され、これら被取付孔５４ｅ、…を介して第１のブラケット５４は、ヘッドパイプ３の取付部３ａにボルト止めされる。
【００１７】
図５に示すように、第２のブラケット５５は、略直方体形状に形成された基部５５ａと、該基体の両側から上方に向けて張り出す左右の張出部５５ｂ、５５ｂを有する。基部５５ａには、被取付孔５５ｃ、５５ｃが第１のブラケット５４の被取付孔５４ｆ、５４ｆと同軸状となるように形成されている。そして、第２のブラケット５５と第１のブラケット５４とは共に重ねられた状態で、ともに同軸状とされる被取付孔５４ｆと被取付孔５５ｃに１本のボルトが挿通され、該ボルトによって、第２のブラケット５５は第１のブラケット５４とともに前記ヘッドパイプ３の取付部３ａに取り付けられる。
【００１８】
リンク機構５６について説明すると、図２及び図３、図６に示すように、ロータリーダンパ５１の下方へ突出するシャフト５３にはアーム６０の一端部６０ａが取り付けられ、該アーム６０の二股に分かれる他端部６０ｂにはボルト６１及びこのボルト６１の外周に嵌合されるボール部材６２等を介して、メガネ状のリンク材６３の一端部が球面支持される。また、リンク材６３の他端部はトップブリッジ４９に形成された取付部４９ａに、ボルト６４及びこのボルト６４の外周に嵌合されるボール部材６５を介して球面支持される。つまり、アーム６０、ボルト６１、６４、ボール部材６２、６５、リンク材６３によって、トップブリッジ４９の動きをシャフト５３に伝えるリンク機構５６が構成されている。
【００１９】
ロータリーダンパ５１のハウジング５２は、前記第１、第２のブラケット５４、５５を介してトップブリッジ４９に、その後方へ延出するように取り付けられる。そして、ハウジング５２のトップブリッジ４９より後方へ延出する延出部５２ａの下方には、油圧制御弁６８を駆動制御する駆動手段の一例であるリニアソレノイド６９が配置されている。
【００２０】
燃料タンク１４の前部には、ロータリーダンパ５１及び第１，第２のブラケット５４，５５との干渉を避けるために、凹部１４ａが形成されている。なお、図２において、７０はヘッドパイプの前方に配置されるイグニッションスイッチを示す。
【００２１】
図７〜図９、図１１に示すように、ロータリーダンパ５１のハウジング５２は、ボディ７１とキャップ７２からなっている。ボディ７１の上面部には扇状の凹部７３が形成され、この凹部７３はキャップ７２によって覆われることで油室７４が形成されている。油室７４はベーン７５によって左右２つの油室７４ａ、７４ｂに区画される。図１０に示すように、ベーン７５の基部７５ａは円筒状に形成され、この円筒状部分にはシャフト５３が、スプライン等の固定手段を介してベーン７５と一体的に回転するように固定状態で連結される。そして、このシャフト５３によってベーン７５はハウジング５２に対し揺動可能に支持される。また、シャフト５３は、ボディ７１とキャップ７２にそれぞれ設けられた軸受７１ａ、７２ａによりブッシュ７８、８０を介して回転自在に支持される（図１４参照）。
【００２２】
ベーン７５の油室７４の内周面に対向する上端部、下端部及び後端部には、それらに連続するように溝７５ｂが形成され、これら溝７５ｂには同溝７５ｂの形状に合わせてコ字状に形成された、例えばゴム等の弾性材からなるシール部材７６が嵌合されている。ここで、溝７５ｂ並びにシール部材７６は、シャフト５３までは達しておらずその手前まで延びて形成されあるいは嵌合されている。また、シール部材７６は、その高さが溝７５ｂの深さよりも高く設定されていて、その頂部が溝７５ｂから外方へ突出している。そして、この突出部が油室７４を区画するボディ７１とキャップ７２の内周面および後述するシール用のワッシャ７７ａ、７７ｂに適宜締め代をもって当接している。
【００２３】
図１４に示すように、シャフト５３の外周には、ベーン７５の基部７５ａの上下面部に当接するように、シール用のワッシャ７７ａ、７７ｂが嵌合されている。シール用のワッシャ７７ａ、７７ｂは、例えば金属製のものであって、油室７４ａ、７４ｂ内の作動油が、ベーン７５の基部７５ａとキャップ７２の下面との間あるいはベーン７５の基部７５ａとボディ７１との間を通って、軸受７１ａ、７２ａに至るのを未然に防ぐものである。
つまり、ハウジング５２内に区画された２つの油室７４ａ、７４ｂは、シール部材７６及びシール用のワッシャ７７ａ、７７ｂによって、互いに液密に保持されるとともに、軸受７１ａ、７２ａに対しても液密に保持される。
ここで、シャフト５３を回動可能に支持する軸受７１ａ、７２ａと油室７４ａ、７４ｂとを液密に区画するシール部は、前記シール用のワッシャ７７ａ、７７ｂ、並びにそれらワッシャ７７ａ、７７ｂと当接するベーン基部７５ａ、ハウジング５２の内周面、シール部材７６によって構成される。
【００２４】
シャフト５３のシール用のワッシャ７７ａが嵌合される箇所の上側部分には前記ブッシュ７８が、またシール用のワッシャ７７ａが嵌合される箇所の下側部分にはサークリップ７９がそれぞれ嵌合されている。また、シャフト５３の下側のシール用ワッシャ７７ｂが嵌合される箇所の下側部分には、前記ブッシュ８０及びオイルシール８１がそれぞれ嵌合されている。
【００２５】
図１０〜図１２に示すように、前記ハウジング５２のボディ７１には、左右の油室７４ａ、７４ｂにそれぞれ連通する油通路８３、８４が、これら油室７４ａ、７４ｂの内周面後端からさらに後方へ延びるようにかつ互いに略平行になるように形成されている。油通路８３、８４には逆止弁８５，８５がそれぞれ介装されている。さらに、油通路８３、８４の後端部は、それら油通路８３、８４どうしを連通する油通路８６が油通路８３、８４に略直交するように形成されている。油通路８６は上下方向に配置された油圧制御弁６８を介して、油通路８６と略直交するように延びる下段側の油通路８７に接続される（図１２参照）。油通路８７は油室７４の下方へ至るよう、油圧制御弁６８が設けられた個所から前方へ延びていて、その前端が該油通路８７と略直交する油通路８８と連通されている。油通路８８の左右の両端部近傍にはそれぞれ逆止弁８９，８９が介装され、油通路８７の左右の両先端はさらにボディの側縁側へ延びた後、上方へ立ち上がって前記左右の油室７４ａ、７４ｂとそれぞれ連通される。つまり、このハウジング５２のボディ７１には、油通路８３、８４、８６，８７、８８は上下２段に形成されている。
【００２６】
ここで、逆止弁８５、８９はともに同様な構成である。逆止弁８５を例にとって説明すると、バルブボディ８５ａには、バルブシート８５ｂが設けられるともにボール８５ｃが収納され、このボール８５ｃはバルブシート８５ｂに当接するよう、スプリング８５ｄによって適宜押圧力をもって付勢されている。逆止弁８５によれば、スプリング８５ｄの付勢力に抗してボール８５ｃをバルブシート８５ｂから離間する方向への流体の流れは許容するものの、逆方向の流体の流れは阻止する。ここでは、逆止弁８５は、油室７４ａ、７４ｂから作動油が油通路８３、８４を通って油通路８６側へ流れるのを許容するが、逆方向の作動油の流れは阻止する。また、逆止弁８９は、作動油が油通路８８を通って油室７４ａ、７４ｂ側へ戻るのを許容するが、逆方向の作動油の流れは阻止する
【００２７】
図１０に示すように、油圧制御弁６８は、ロータリーダンパ５１の減衰力を可変するものである。油圧制御弁６８は、バルブボディ６８ａに、バルブシート６８ｂが設けられるとともに、バルブシート６８ｂに対向するようポペット６８ｃが収納されている。ポペット６８ｃは、バルブシート６８ｂから離間するよう、該ポペット６８ｃの底部バネ座とバルブシート６８ｂとの間に介装されたスプリング６８ｄにより適宜押圧力をもって付勢されている。ポペット６８ｃの下端にはプッシュロッド６８ｅの上端が挿入され、プッシュロッド６８ｅの下端はリニアソレノイド６９に接続されている。そして、リニアソレノイド６９の励磁操作によって、ポペット６８ｃは、スプリング６８ｄの付勢力に抗して、その頭部がバルブシート６８ｃに当接するよう押圧調整される。
【００２８】
すなわち、油圧制御弁６８によれば、ポペット６８ｃが、その頭部と底部の空間に連通するハウジング５２内の左右の油室７４ａ、７４ｂの差圧、スプリング６８ｄの付勢力、及びプッシュロッド６８ｅを介したリニアソレノイド６９の励磁力によってその位置が定まり、左右の油室７４ａ、７４ｂの差圧に基づくポペット押圧力とスプリング６８ｄの付勢力との合力が、リニアソレノイド６９の励磁力より弱い場合には、ポペット６８ｃがバルブシート６８ｂに当接して当該油圧制御弁６８は閉状態となり、左右の油室７４ａ、７４ｂの差圧に基づくポペット押圧力とスプリング６８ｄの付勢力との合力が、リニアソレノイド６９の励磁力を超える場合に、ポペット６８ｃがバルブシート６８ｂから離間して、油圧制御弁６８は開状態となる。そして、作動油が油圧制御弁６８のバルブシート６８ｂとポペット６８ｃとの間の隙間を通過するときに、所定の減衰力が得られるようになっている。
なお、リニアソレノイド６９は、車速や車体加速度が増すと、より大きな励磁力が発揮されるように図示せぬ制御部により制御される。
【００２９】
図１２に示すように、油通路８６と油通路８７との間にはバイパス油通路９１が形成され、このバイパス油通路９１にはリリーフバルブ９２が介装されている。リリーフバブル９２は、バルブボディ９２ａにバルブシート９２ｂが設けられるとともにボール９２ｃが収納され、ボール９２ｃが、スプリング９２ｄにより適宜押圧力をもってバルブシート９２ｂ側へ付勢される構造になっている。そして、通常、ボール９２ｃがバルブシート９２ｂに当接しているが、油通路８６と油通路８７との差圧が所定値以上になると、該差圧に基づく押圧力により、スプリング９２ｄの付勢力に抗してボール９２ｃがバルブシートから離間するように移動して開弁し、油通路８６と油通路８７間の圧力差を緩和する。
【００３０】
また、油通路８８にはフリーピストン９３が連通されている。フリーピストン９３は、ボディ７１に一体に形成されたシリンダ９３ａと、該シリンダ９３ａの前部に作動油を貯留するための貯留部９３ｂを画成するピストン９３ｃと、ピストン９３ｃを貯留部側へ付勢するスプリング９３ｄとを備える構造になっている。そして、このフリーピストン９３では、前記油室７４ａ、７４ｂ並びにそれら油室同士を連通する油通路８３、８４…等からなる閉空間内に充填される作動油が温度変化によって膨張あるいは収縮する際に、ピストン９３ｃの移動によって貯留部９３ｂが容量変化し、作動油の熱膨張等を吸収する。
【００３１】
次に、前記構成のロータリーダンパの作用について説明する。
走行時においてハンドル２１を例えば左側へ切ると、ハンドル２１と一体的にトップブリッジ４９が同方向へ回転し、このトップブリッジ４９の動きがリンク機構５６を介してロータリーダンパ５１のシャフト５３に伝わる。そして、シャフト５３も図１１において時計針の反回転方向へ回転し、それとともにベーン７５が同方向（図１１における（イ））へ回転する。これに伴い、油室７４ｂが狭小となってそこに充填されている作動油の圧力が高まり、該油室７４ｂ内の作動油は、油通路８４、逆止弁８５を通って油通路８６に至り、そこから圧力制御弁６８へ至る。
【００３２】
圧力制御弁６８では、通常、ポペット６８ｃがリニアソレノイド６９の励磁力によってバルブシート６８ｂに当接して閉状態になっており、例えば、油室７４ｂ側から若干の作動油圧力が加わっても閉状態を維持されるが、左右の油室７４ａ、７４ｂの差圧に基づく押圧力とスプリング６８ｄの付勢力との合力が、リニアソレノイド６９の励磁力を超える場合には、ポペット６８ｃがバルブシート６８ｂから離間し、油圧制御弁６８は開状態となる。このとき、油通路８６内の作動油は、油圧制御弁６８のバルブシート６８ｂとポペット６８ｃとの間の隙間を通って、油通路８７に至り、そこからさらに油通路８８及び逆止弁８９を通って左側の油室７４ａへ至る。このように作動油が圧力制御弁６８等を通過するときの抵抗が、減衰力を発生させることとなってハンドル２１に作用する。つまり、ハンドル２１を切るときの抵抗力となり、ハンドルに働く瞬時の回転力に対する抵抗力となって作用する。
【００３３】
上述の説明はハンドル２１を左側へ切るときの説明であるが、逆に右側へ切るときも同様である。
【００３４】
リニアソレノイド６９は、車速や車体加速度によって制御され、例えば車速が増したり車体加速度が大きくなると励磁力が高まるよう図示せぬ制御部により制御される。したがって、このときには、油圧制御弁６８の開弁タイミングが遅らされ、しかも開弁後も励磁力が増した分だけ、弁開度は小さくなり、より大きな減衰力が発揮される。つまり、車速が速ければ速いほど、また、加速度が増せば増すほど、高い減衰力が発揮される。
【００３５】
したがって、低速あるいは低加速度で走行するときは、ハンドリング性を重視し、比較的軽い力でハンドル２１を切ることができるが、高速あるいは高加速度で走行するときには、ハンドル２１を切る際に高い減衰力が作用することとなり、これによりキックバック現象の発生を低減することができる。
【００３６】
なお、前記ロータリーダンパ５１の制御の中で、何らかの原因で左右の油室７４ａ、７４ｂのうちの一方の油室の作動油圧が高まり、作動油の油圧制御弁６８の上流側と下流側の差圧が予め設定した値よりも大きくなる場合には、リリーフバルブ９２が開き、バイパス油通路９１を通じて油通路８６内の作動油を油通路８７へ流し、それらの開きすぎた差圧を緩和する。つまり、一方の油室の作動油圧が高くなりすぎるのを未然に防止する。また、油室７４及び油通路８３、８４…等に充填された作動油の温度が変化して、該作動油が膨張あるいは収縮するときには、それに応じてフリーピストン９３のピストン９３ｃがシリンダ９３ａ内を移動することにより、作動油の容量変化を吸収する。
【００３７】
また、前記ロータリーダンパ５１の動作において、ハンドル２１の動きに伴いシャフト５３が回転し、左右の油室７４ａ、７４ｂのうちの一方の油室が狭小となってそこに充填されている作動油の圧力が高まるとき、該一方の油室内の作動油の一部が、ベーン７５の基部７５ａとキャップ７２の下面との間あるいはベーン７５の基部７５ａとボディ７１との間を通って軸受７１ａ、７２ａに至り、そこから他方の油室へ至ろうとするが、シャフト５３の外周には、ベーン７５の基部７５ａの上下面部に当接するように、シール用のワッシャ７７ａ、７７ｂが嵌合されており、これらシール用のワッシャ７７ａ、７７ｂが、同作動油の軸受７１ａ、７２ａへ流れ込むのを未然に防止する。したがって、前記一方の油室内の作動油が軸受７１ａ、７１ｂを介して他方の油室へ流れるのを防止でき、作動油のリークがないため、当該ロータリーダンパ５１は、ダンパとして高い減衰力を確保できる。
また、ベーン７５に形成したシール部材嵌合用の溝７５ｂがシャフト５３まで達しておらず、加えてシャフト５３の周りにベーンの基部７５ａがあるので、溝７５ｂから直接シャフト５３周りの隙間へ作動油がリークすることがない。
また、シール部材７６の端部がワッシャ７７ａ、７７ｂに当接しているので、シール部材７６の端部からの作動油のリーク量を少なくすることができる。
また、ベーン７５の溝７５ｂに嵌合されるシール部材７６は、それ自体の締め代をもって油室７４ａ、７４ｂを区画するボディ７１やキャップ７２の内周面に当接するので、バネ等の特殊な部品を用いることなく、高いシール性を確保できる。
【００３８】
なお、前記実施の形態はあくまで本発明の例示であり、必要に応じて発明の主旨を逸脱しない範囲で適宜設計変更可能である。
例えば、前述した実施の形態では、ロータリーダンパ５１のハウジング５２を車体フレーム２側に、シャフト５３を操舵系５０にそれぞれ取り付けているが、これとは逆に、ロータリーダンパ５１のハウジング５２を操舵系５０に、シャフト５３を車体フレーム２側に取り付けてもよい。
【００３９】
また、前述した実施の形態では、ロータリーダンパ５１の左右の油室７４ａ、７４ｂを連通するための油通路８３、８４…を、ハウジング５２のボディ７１に形成しているが、これに限られることなく、同油通路をハウジング５２のキャップ７２に設けても良く、さらに、ベーン７５に設けてもよい。
【００４０】
【発明の効果】
以上詳述したように、本願発明のロータリーダンパによれば、ベーンの基部に軸受と油室とを液密に区画するシール部を設けているので、一方の油室内の作動油が、摺動部分であるシャフトと軸受との隙間を通って他方の油室に流れ込むのを防止でき、このように軸受からの作動油のリークをなくすることができるので、ダンパとして高い減衰力を確保することができる。
【図面の簡単な説明】
【図１】本発明の実施の形態を示す自動二輪車の側面図である。
【図２】同自動二輪車におけるロータリーダンパの取付構造を示す一部を断面した側面図である。
【図３】同自動二輪車におけるロータリーダンパの取付構造を示す平面図である。
【図４】ロータリーダンパ取付用の第１のブラケットを示し、（ａ）は平面図、（ｂ）は側面図、（ｃ）は（ａ）のＡーＡ線に沿う断面図である。
【図５】ロータリーダンパ取付用の第２のブラケットを示し、（ａ）は
平面図、（ｂ）は（ａ）のＢーＢ線に沿う断面図である。
【図６】図３のＣーＣ線に沿う断面図である。
【図７】ロータリーダンパの平面図である。
【図８】図７のＤ矢視図である。
【図９】ロータリーダンパの底面図である。
【図１０】ロータリーダンパの断面図である。
【図１１】ロータリーダンパのハウジングボディの一部を断面した平面図である。
【図１２】図１０のＥーＥ線に沿う断面図である。
【図１３】ロータリーダンパの構成を示す概略図である。
【図１４】図１０の要部の拡大図である。
【符号の説明】
１…自動二輪車、                    ２…車体フレーム、
３…ヘッドパイプ、                  ６…ステアリングステム、
１４…燃料タンク、                  ２１…ハンドル、
４９…トップブリッジ、              ５１…ロータリーダンパ、
５２…ハウジング、                  ５３…シャフト、
５６…リンク機構、                  ６８…油圧制御弁、
７１…ボディ、                      ７２…キャップ
７１ａ、７２ａ…軸受、              ７５…ベーン、
７５ａ…ベーンの基部、              ７６…シール部材（シール部）
７７ａ、７７ｂ…シール用のワッシャ（シール部）
７４（７４ａ、７４ｂ）…油室、      ９２…リリーフバルブ、
９３…フリーピストン。
【図１】
2004286128.tif 000003
【図２】
2004286128.tif 000004
【図３】
2004286128.tif 000005
【図４】
2004286128.tif 000006
【図５】
2004286128.tif 000007
【図６】
2004286128.tif 000008
【図７】
2004286128.tif 000009
【図８】
2004286128.tif 000010
【図９】
2004286128.tif 000011
【図１０】
2004286128.tif 000012
【図１１】
2004286128.tif 000013
【図１２】
2004286128.tif 000014
【図１３】
2004286128.tif 000015
【図１４】
2004286128.tif 000016